(57)【特許請求の範囲】
【請求項１】
道路標識や道路案内等の道路関係情報を表示する表示面を備えた道路情報表示装置であって、
前記表示面が凹状の彎曲面に構成されているとともに、前記表示面の彎曲方向両端側の側辺部には、互いに相手側に向って開口する一対の照明ケース部を取付け、各照明ケース部内の奥側部位には、前記光源が前記表示板の前記側辺部に沿って配設されており、前記両光源の光照射領域が表示面の彎曲方向中央部において重合する設定で構成されている道路情報表示装置。
【請求項２】
前記光源はＬＥＤ光源であり、複数のＬＥＤ素子が表示板の側辺部に沿って配設されている請求項１に記載の道路情報表示装置。
【請求項３】
前記照明ケース部の前後の側板部のうち、後方側に位置する側板部の内面には光拡散反射層が形成されているとともに、前方側に位置する側板部の内面には鏡面反射層が形成されている請求項１又は２に記載の道路情報表示装置。
【請求項４】
前記照明ケース部の前方側の側板部の開口端が後方側の側板部の開口端よりも前記表示面の彎曲方向の中央側に突出形成されている請求項３記載の道路情報表示装置。
【請求項５】
前記表示面には再帰性反射シートが付設されている請求項１〜４のいずれか１項に道路情報表示装置。
【発明の詳細な説明】
【技術分野】
【０００１】
本発明は、道路脇や道路上部等において道路標識や道路案内等の道路関係情報を表示するための表示面を備えた道路情報表示装置に関する。
【背景技術】
【０００２】
道路情報表示装置としては、夜間における車のヘッドライトの反射を利用した反射式表示装置と、夜間に表示面全体を発光させる内部照明式表示装置とが提案されている。
【０００３】
前者の反射式表示装置では、表示板（標識パネル等）の表示面に光反射シートを貼り付け、この光反射シートの上面に、道路標識や道路案内等の道路関係情報を直接印刷するか、或いは、道路関係情報を印刷してある透明な表示シートを貼り付けて構成されている。
【０００４】
後者の内部照明式表示装置では、例えば、下記特許文献１、２に示すように、裏面に反射シートを貼り付けてある導光板と、これの前面に重合状態で配置される光拡散板と、導光板の側面に照射する複数のＬＥＤ素子（発光ダイオード）からなるエッジライトと、光拡散板の前面側の表示面に貼り付けられる透光性反射シートと、この透光性反射シートの前面に貼り付けられる道路関係情報を印刷した透光フイルムとから構成されている。
【先行技術文献】
【特許文献】
【０００５】
【特許文献１】特開２０１０−００２６５０号公報
【特許文献２】特開２０１０−２２４８７６号公報
【発明の概要】
【発明が解決しようとする課題】
【０００６】
前者の反射式表示装置では、表示板の表示面に光反射シートが貼り付けられているものの、表示装置の設置位置や車の照射条件等によっては表示面に対するヘッドライトの照射量が不足する場合があり、この場合、反射光の減少によって表示面の道路関係情報が判読し難くなる問題がある。
【０００７】
また、後者の内部照明式表示装置では、夜間において、エッジライトの光が導光板を介して光拡散板の前面全域に拡散され、さらに、透光性反射シートを介して透光フイルム全体が発光されるため、この透光フイルムに印刷された道路関係情報を容易に判読することができる。反面、前後方向で重合配置される導光板と光拡散板とが必要であるため、装置全体が重量化するとともに、製造コストの高騰化を招来し易い問題がある。
【０００８】
本発明は、上述の実状に鑑みて為されたものであって、その主たる課題は、構造の簡素化と軽量化及び製造コストの低廉化を図りながら、夜間において表示面の道路情報を明確に判読できる状態で表示面全体を良好に照明することのできる道路情報表示装置を提供する点にある。
【課題を解決するための手段】
【０００９】
本発明による第１の特徴構成は、道路標識や道路案内等の道路関係情報を表示する表示面を備えた道路情報表示装置であって、
前記表示面が凹状の彎曲面に構成されているとともに、前記表示面の彎曲方向両端側の側辺部には、互いに相手側に向って開口する一対の照明ケース部を取付け、各照明ケース部内の奥側部位には、前記光源が前記表示板の前記側辺部に沿って配設されており、前記両光源の光照射領域が表示面の彎曲方向中央部において重合する設定で構成されている点にある。
【００１０】
上記構成によれば、道路関係情報を表示する表示面を凹状の彎曲面に構成することによって、表示面の彎曲方向両端側の側辺部に配置した光源からの光を、光源から最も離れた表示面の彎曲方向中央部に効果的に出射することができ、表示面全域での輝度（照度）分布の均一化を図ることができる。
そして、光源から最も離れた表示面の彎曲方向中央部をより効果的に重複照射して、表示面の彎曲方向中央部での輝度を高めることにより、表示面の道路関係情報に対する視認性、判読性を向上することができる。
さらに、光源を内装する一対の照明ケース部を互いに相手側に向って開口形成して、前方側への無駄な照射を抑制すること、ならびに、光源を表示板の側辺部に沿って配設して、表示面の側辺方向での輝度（照度）分布の均一化を促進することとにより、ランニングコストの低廉化を図りながら、表示面の道路関係情報に対する視認性、判読性を向上することができる。
【００１１】
したがって、夜間においても、表示面全体を良好な輝度（照度）分布で照明することができるから、表示面の道路関係情報を明確に判読することができ、しかも、凹状の彎曲面に構成された表示面の彎曲方向両端側の側辺部に光源を配設するだけであるから、重合配置される導光板と光拡散板とを用いる従来の内部照明式表示装置に比して構造の簡素化、軽量化、製造コストの低廉化を図ることができる。
【００１４】
本発明による第２の特徴構成は、前記光源はＬＥＤ光源であり、複数のＬＥＤ素子が表示板の側辺部に沿って配設されている点にある。
【００１５】
上記構成によれば、凹状に彎曲形成された表示面全域での輝度（照度）分布の均一化とヘッドライトによる再帰反射光の増大とによって、表示面の道路関係情報に対する視認性、判読性を向上することができる。
【００１６】
本発明による第４の特徴構成は、前記表示面を備えた表示板の彎曲方向の両側辺部には、互いに相手側に向って開口する一対の照明ケース部を取付け、各照明ケース部内の奥側部位には、前記光源を構成するＬＥＤ光源の複数のＬＥＤ素子が表示板の側辺部に沿って配設されている点にある。
【００１７】
上記構成によれば、光源として省電力のＬＥＤ光源を用いることと、このＬＥＤ光源を内装する一対の照明ケース部を互いに相手側に向って開口形成して、前方側への無駄な照射を抑制すること、ならびに、ＬＥＤ光源の複数のＬＥＤ素子を表示板の側辺部に沿って配設して、表示面の側辺方向での輝度（照度）分布の均一化を促進することとにより、ランニングコストの低廉化を図りながら、表示面の道路関係情報に対する視認性、判読性を向上することができる。
【００１８】
本発明による第３の特徴構成は、前記照明ケース部の前後の側板部のうち、後方側に位置する側板部の内面には光拡散反射層が形成されているとともに、前方側に位置する側板部の内面には鏡面反射層が形成されている点にある。
【００１９】
上記構成によれば、ＬＥＤ光源の複数のＬＥＤ素子から出射された光のうち、照明ケース部の前後の側板部の内面に反射しながら開口に進む反射光を、両側板部の内面に形成した反射層で効率良く反射して表示面に対する照明光として活用することができる。それでいて、後方側の側板部の内面に形成される反射層を光拡散反射層に構成してあるから、この光拡散反射層にはＬＥＤ光源の鏡像が映し出されることが無く、道路情報表示装置の外観意匠の改善を図ることができる。
【００２０】
本発明による第４の特徴構成は、前記照明ケース部の前方側の側板部の開口端が後方側の側板部の開口端よりも前記表示面の彎曲方向の中央側に突出形成されている点にある。
【００２１】
上記構成によれば、照明ケース部の前方側の側板部の開口端が後方側の側板部の開口端よりも突出する分だけ、後方側の側板部の内面で反射した光を表示面側に向って効率良く反射させることができる。
本発明による第５の特徴構成は、前記表示面には再帰性反射シートが付設されている点にある。
上記構成によれば、凹状に彎曲形成された表示面全域での輝度（照度）分布の均一化とヘッドライトによる再帰反射光の増大とによって、表示面の道路関係情報に対する視認性、判読性を向上することができる。
【図面の簡単な説明】
【００２２】
【図１】本発明の第１実施形態を示す道路情報表示装置の正面図
【図２】道路情報表示装置の拡大側面図
【図３】道路情報表示装置の拡大背面図
【図４】道路情報表示装置の拡大平面図
【図５】図３におけるＶ−Ｖ線での要部の拡大断面図
【図６】図３におけるＶＩａ−ＶＩａ線での要部の拡大側面図（ａ）と図３におけるＶＩｂ−ＶＩｂ線での要部の拡大断面図（ｂ）
【図７】図５におけるＶＩＩ−ＶＩＩ線での要部の拡大縦断面図
【図８】ユニットケース及び反射板の要部の拡大水平断面図
【図９】本発明の第２実施形態を示すユニットケース及び反射板の要部の拡大水平断面図
【発明を実施するための形態】
【００２３】
〔第１実施形態〕
図１〜図８は、道路標識や道路案内等の道路関係情報ＤＩを表示する正面視縦長長方形状の表示面１ａを備えた道路情報表示装置を示し、道路脇や道路の上部に設置した支柱、設置桁等の支持部材（図示せず）に取付けられる取付けフレームＦの前面側部位に、表示面１ａを構成する中央表示板部１Ａを平面視において背面側に凹状に彎曲形成してあるアルミニウム製の表示板（表示パネル）１を取付けるとともに、表示板１の彎曲方向両端側の側辺部の各々には、円弧状に彎曲する表示面１ａに向って照明用の光を出射する光源が配設されている。
【００２４】
表示板１は、図５に示すように、取付けフレームＦの構成部材の一部として組付けられている。
この表示板１自体は、表示面１ａの左右方向中央位置を通る前後方向の中心線上における前方側に偏倚した位置を半径中心として円弧状に彎曲形成された中央表示板部１Ａと、この中央表示板部１Ａの彎曲方向両端部から後方に折り曲げ形成された一対の脚状板部１Ｂと、各脚状板部１Ｂにおける中央表示板部１Ａの前後方向中心線上の最大底部位置に対応する部位において互いに相手側に向って折り曲げ形成された一対の取付け板部１Ｃとから構成されている。
【００２５】
取付けフレームＦには、表示板１の両取付け板部１Ｃの上下両端部近くに水平姿勢で架設される横断面形状が「Ｃ」字状のアルミニウム製の第１取付け部材２と、表示板１の両取付け板部１Ｃの上下中央位置に水平姿勢で架設される横断面形状が「コ」の字状のアルミニウム製の第２取付け部材３とが備えられている。
【００２６】
第１取付け部材２の底板部２Ａは、表示板１の両取付け板部１Ｃにアルミニウム製のボルト４・ナット５で固定連結されているとともに、第２取付け部材３の底板部３Ａは、表示板１の両取付け板部１Ｃにアルミニウム製のボルト４・ナット５で固定連結されている。
【００２７】
表示板１の中央表示板部１Ａの背面の左右方向中央位置を通る上下方向の中心線上で、且つ、第１取付け部材２及び第２取付け部材３に対応する部位には、第１取付け部材２の底板部２Ａに貫通形成されている取付け孔２ａ及び第２取付け部材３の底板部３Ａに貫通形成されている取付け孔３ａに挿通されるアルミニウム製のスタッドボルト６が固着されている。
【００２８】
表示板１の各スタッドボルト６を第１取付け部材２の取付け孔２ａ及び第２取付け部材３の取付け孔３ａに挿通し、各スタッドボルト６の突出ネジ部分にアルミニウム製のナット７を螺合して締付けることにより、表示板１の左右方向中央部位が第１取付け部材２及び第２取付け部材３の各左右方向中央部位に固定連結される。
【００２９】
表示板１の表示面１ａには、入射光の方向に効率良く反射させることのできる再帰性反射シート８が貼り付けられている。
この再帰性反射シート８としては、カプセルレンズ型、露出レンズ型、プリズムレンズ型等の再帰性反射構成要素を含んでなる層をプラスチックフィルム等の材料に積層してなる反射シート、再帰性反射構成要素を分散して含有する塗料を支持体上に塗布してなる反射シート等を使用することができる。
【００３０】
当該実施形態では、再帰性反射シート８として、反射シート基材の表面側の透明な樹脂フイルムの全面にわたってガラスビーズを埋め込んだ柔軟性に優れ、耐候性もある再帰性反射シート（例えば、住友スリーエム株式会社製の反射シート６８０シリーズ）を使用し、ガラスビーズが埋め込まれた樹脂フイルムの表面をもって構成される表示面１ａに、道路標識や道路案内等の道路関係情報がシルク印刷されている。
【００３１】
図１の表示面１ａには、道路関係情報ＤＩとして受話器の図形ＤＩａと「非常電話」の文字ＤＩｂ、「ＳＯＳ」の文字ＤＩｃが印刷されている例を示している。
【００３２】
尚、この実施形態では、再帰性反射シート８の表面に道路関係情報を印刷したが、再帰性反射シート８の表面に、道路関係情報を印刷してある透明な表示シートを貼り付けてもよい。
【００３３】
表示板１の彎曲方向の両側辺部には、光源の一例であるＬＥＤ光源Ｌを内装し、且つ、互いに相手側に向って開口する、つまり、左右方向の中央側に向って開口する一対の照明ケース部１０Ａを備えたアルミニウム製のユニットケース１０が取付けられている。
【００３４】
ユニットケース１０は、平面視において「コ」の字状に形成された照明ケース部１０Ａと、これの後端側から表示板１の脚状板部１Ｂの外面に重合配置可能な状態で後方に延出された取付け板部１０Ｂとからなる。
【００３５】
ユニットケース１０の取付け板部１０Ｂと表示板１の脚状板部１Ｂとは、照明ケース部１０Ａの前後の側板部１０ａ，１０ｂのうち、後方側（表示面１ａに近い側）に位置する側板部１０ｂの内面が表示面１ａの彎曲方向の両側辺部と面一又は略面一になる状態でボルト１１・ナット１２にて固定連結されている。
【００３６】
ＬＥＤ光源Ｌは、ユニットケース１０の照明ケース部１０Ａの底板部１０ｃの内面に配設可能な回路基板１５に複数個の同一種類のＬＥＤ素子（発光ダイオード）１６を実装してユニット化されている。
【００３７】
左右のＬＥＤ光源Ｌの光照射領域は、表示面１ａの彎曲方向中央部において重合する設定で構成されている。
そのため、左右のＬＥＤ光源Ｌから最も離れた表示面１ａの彎曲方向中央部をより効果的に重複照射して、表示面１ａの彎曲方向中央部での輝度を高めることにより、表示面１ａの道路関係情報ＤＩに対する視認性、判読性を向上することができる。
【００３８】
当該実施形態では、ＬＥＤ素子１６の出射角度が１２０度であるため、ＬＥＤ素子１６から出射される光は、照明ケース部１０Ａの開口から外部に直進する直進光と、照明ケース部１０Ａの前後の側板部１０ａ，１０ｂの内面に反射しながら開口に進む反射光とからなる。
【００３９】
そのため、照明ケース部１０Ａの前後の側板部１０ａ，１０ｂのうち、後方側に位置する側板部１０ｂの内面には、全反射率が高く、且つ光拡散反射率も高い光拡散反射層が形成されている光拡散反射シート（光拡散反射フイルム）１７を貼り付けることにより、アルミニウムの陽極酸化皮膜処理（アルマイト処理）によって光輝仕上げになっているユニットケース１０の照明ケース部１０Ａのうち、後方側に位置する側板部１０ｂの内面にＬＥＤ光源Ｌの鏡像が映し出されることが無く、道路情報表示装置の外観意匠の改善を図ることができる。
【００４０】
また、照明ケース部１０Ａの前後の側板部１０ａ，１０ｂのうち、前方側に位置する側板部１０ａの内面には、全反射率が高い鏡面反射層が形成されている鏡面反射シート（鏡面反射フイルム）１８を貼り付けることにより、ＬＥＤ素子１６から出射される光を表示面１ａ側に効率良く反射することができる。
【００４１】
照明ケース部１０Ａの前方側の側板部１０ａの開口端Ｐ１が後方側の側板部１０ｂの開口端Ｐ２よりも表示面１ａの彎曲方向の中央側に突出形成されている。
そのため、照明ケース部１０Ａの前方側の側板部１０ａの開口端Ｐ１が後方側の側板部１０ｂの開口端Ｐ２よりも突出する分だけ、後方側の側板部１０ａの内面側の鏡面反射シート１８で反射した光を表示面１ａ側に向って効率良く反射させることができる。
【００４２】
尚、表示板１の脚状板部１Ｂにユニットケース１０の取付け板部１０Ｂを固定連結したとき、後方側の側板部１０ｂの内面に貼付けられた光拡散反射シート１７の端部と、表示板１の表示面１ａに貼付けられた再帰性反射シート８の端部とが接触又は近接するように構成されている。
【００４３】
〔第２実施形態〕
図９に示すように、後方側の側板部１０ｂの内面に貼付けられた光拡散反射シート１７の端部、及び、表示板１の表示面１ａに貼付けられた再帰性反射シート８の端部を、表示板１の脚状板部１Ｂとユニットケース１０の取付け板部１０Ｂとの間に回り込む状態で貼り付けてもよい。
【００４４】
尚、その他の構成は、第１実施形態で説明した構成と同一であるから、同一の構成箇所には、第１実施形態と同一の番号を付記してそれの説明は省略する。
また、第２実施形態の変形例として、後方側の側板部１０ｂの内面に貼付けられた光拡散反射シート１７の端部、又は、表示板１の表示面１ａに貼付けられた再帰性反射シート８の端部だけを、表示板１の脚状板部１Ｂとユニットケース１０の取付け板部１０Ｂとの間に回り込む状態で貼り付けてもよい。
【００４５】
〔その他の実施形態〕
（１）上述の第１実施形態では、表示板１を取付けフレームＦの主構成部材として組付けているため、表示板１との固定連結を解除した状態では取付けフレームＦ全体が分解する構成になっているが、この取付けフレームＦを、道路脇や道路の上部に設置した支柱、設置桁等の支持部材に単独で取付け可能な枠状体に構成し、この枠状の取付けフレームＦに表示板１を取付けてもよい。
【００４６】
（２）上述の第１実施形態では、左右のＬＥＤ光源Ｌの光照射領域を、表示面１ａの彎曲方向中央部において重合する設定で構成したが、両のＬＥＤ光源Ｌの光照射領域の境界を、表示面１ａの彎曲方向中央位置に設定して構成してもよい。
【００４７】
（３）上述の第１実施形態では、光源としてＬＥＤ光源Ｌを用いたが、蛍光管等の他の光源を用いて実施してもよい。
【００４８】
（４）上述の第１実施形態では、表示板１とユニットケース１０とを各別に構成したが、このユニットケース１０の照明ケース部１０Ａを表示板１に一体形成してもよい。
【００４９】
（５）ユニットケース１０の照明ケース部１０Ａの開口部に、光の照射方向を調節可能な照射方向調節手段を設けてもよい。
【産業上の利用可能性】
【００５０】
以上説明したように、構造の簡素化と軽量化及び製造コストの低廉化を図りながら、夜間において表示面の道路情報を明確に判読できる状態で表示面全体を良好に照明することのできる道路情報表示装置を提供することができる。
【符号の説明】
【００５１】
ＤＩ      道路関係情報
Ｌ        光源（ＬＥＤ光源）
Ｐ１      開口端
Ｐ２      開口端
１        表示板
１ａ      表示面
８        再帰性反射シート
１０Ａ    照明ケース部
１０ａ    前方側の側板部
１０ｂ    後方側の側板部
１６      ＬＥＤ素子
１７      光拡散反射シート
１８      鏡面反射シート
【図１】
0005916324.tif 000002
【図２】
0005916324.tif 000003
【図３】
0005916324.tif 000004
【図４】
0005916324.tif 000005
【図５】
0005916324.tif 000006
【図６】
0005916324.tif 000007
【図７】
0005916324.tif 000008
【図８】
0005916324.tif 000009
【図９】
0005916324.tif 000010